(57)【特許請求の範囲】
【請求項１】
物体側から順に、正の第１群と負の第２群と正の第３群とにて構成される対物レンズで、前記負の第２群が明るさ絞りと一体で光軸上を移動することにより合焦および変倍を行ない、下記条件（１）、（２）を満足する拡大内視鏡光学系。
（１）    Ｆ（Ｗ）／Ｆ（Ｔ）＞０．９３
（２）    ０．４＜｜ｆ３／ｆ２｜＜１．３８
ただし、Ｆ（Ｗ）、Ｆ（Ｔ）は夫々通常観察状態（広角端）および近接拡大観察状態（望遠端）での光学系のＦナンバー、ｆ２、ｆ３は夫々第２群、第３群の焦点距離である。
【請求項２】
物体側から順に、正の第１群と負の第２群と正の第３群とにて構成される対物レンズで、前記負の第２群が明るさ絞りと一体で光軸上を移動することにより合焦および変倍を行ない、下記条件（１）、（３）を満足する拡大内視鏡光学系。
（１）    Ｆ（Ｗ）／Ｆ（Ｔ）＞０．９３
（３）    １．５＜｜ｆ２／ｆ１｜＜３．５
ただし、Ｆ（Ｗ）、Ｆ（Ｔ）は夫々通常観察状態（広角端）および近接拡大観察状態（望遠端）での光学系のＦナンバー、ｆ１、ｆ２は夫々第１群、第２群の焦点距離である。
【発明の詳細な説明】
【技術分野】
【０００１】
本発明は、拡大内視鏡光学系で、変倍機能を有し、拡大観察可能にした内視鏡対物レンズ（光学系）に関するものである。
【背景技術】
【０００２】
近年、医療分野では、病変の精密な診断を行なうために拡大観察が可能な光学系の要求が強まっている。
【０００３】
このような拡大観察が可能な光学系として、正、負、正の三つのレンズ群にて構成され、負の第２群を移動させて変倍と合焦を行なうタイプの光学系が下記特許文献１、２、３に開示されている。
【０００４】
また、負、正、負の三つのレンズにて構成され、正の第２群を移動させて変倍と合焦を行なう光学系が下記特許文献４に開示されている。
【特許文献１】特公昭６１−４４２８３号公報
【特許文献２】特開平６−３１７７４４号公報
【特許文献３】特開平１１−３１６３３９号公報
【特許文献４】特開２０００−２６７００２号公報    一方、診断の精度を向上させるために、内視鏡画像の高画質化が求められ、従来よりも高画素の撮像素子が採用されはじめている。そのために、このような撮像素子の高画素化に対応した高性能な撮像光学系が必要になっている。
【０００５】
例えば、内視鏡による観察の場合、撮像光学系の観察深度の遠点から近点まで画質の劣化がない画像を得ることが要求され、そのためにＦナンバーを大きくしてつまり明るさ絞りの開口を絞ってパンフォーカスに近い性能を持った撮像光学系が必要になる。
【０００６】
一方撮像光学系においてＦナンバーを大きくすることつまり明るさ絞りの開口を絞ることにより回折現象が発生して画質が劣化しないように、Ｆナンバーが下記のレイリーリミット条件を満たすように光学系を決定する必要がある。
【０００７】
Ｆｎｏ＜１．６４Ｐ／λ
ただし、Ｆｎｏは撮像光学系のＦナンバー、Ｐは撮像素子の画素ピッチ、λは波長である。
【０００８】
上記の式によれば、画素ピッチＰが細かくなって撮像素子の高画素化が進むとＦナンバーをあまり大きくすることができないことがわかる。そのため撮像素子の高画素化により撮像光学系の観察深度が不足して所望の画質が得られなくなるおそれがある。
【０００９】
特に拡大内視鏡の場合、近接拡大観察状態（望遠端）では、対物レンズと物体距離が短いため観察深度の近点側で十分な画質を確保する必要があり、通常回折限界まで明るさ絞りの開口を絞って観察している。
【００１０】
この場合、従来の拡大内視鏡では、近接拡大観察状態（望遠端）から通常観察状態（広角端）に移動させてＦナンバーが変化したとしても十分な観察深度が得られ、実用上問題がない。
【発明の開示】
【発明が解決しようとする課題】
【００１１】
上記従来例のうち、特許文献１乃至３に記載する光学系は、明るさ絞りの後方に可動レンズが配置されているため、拡大観察時に射出瞳が像側から物体側へ移動する。そのため、通常観察時のＦナンバーは、拡大観察時のＦナンバーよりも小さい。
【００１２】
これら特許文献に記載されている従来の光学系を、高画素化された撮像素子と組み合わせて使用すると、拡大観察時のＦナンバーを回折限界まで絞ったとしても、通常観察時のＦナンバーが小さくなりすぎるため、深度が浅く、実用上問題が生ずる。
【００１３】
また、特許文献４には、通常観察時と拡大観察時のＦナンバーに差のないタイプの光学系が開示されている。
【００１４】
この特許文献４に記載されている拡大内視鏡光学系は、負、正、負の３群構成であって、第２群を移動させることによって、変倍、合焦を行なうものである。
【００１５】
しかし、この光学系は、正のレンズ群が一つしかないため、可動群である第２群のパワーが強くなる傾向がある。
【００１６】
そのために、通常観察時と拡大観察時とで収差の変動が大きく、内視鏡画像の高画質化の要求を満足することはできない。この光学系は、特に色収差の変動が大きく、画像の色のにじみの原因になる。
【００１７】
また、この文献４には、正、負、正の３群構成で、第２群が可動である光学系も記載されているが、このタイプの光学系は、通常観察時と拡大観察時のＦナンバーの変動が大きく、特許文献１、２、３と同様の問題がある。
【００１８】
また、前記の特許文献１には、高倍率な内視鏡対物レンズが記載されているが、通常観察時の視野が狭く、病変部を発見するために生体内をスクリーニングしたり、病変部に処置を施す等の作業が困難であり、実用上問題である。
【００１９】
本発明は、通常観察時と拡大観察時とにおけるＦナンバーの変動が少なく、どの観察状態でも十分な観察深度が確保でき高画質の画像が得られる拡大内視鏡光学系を提供するものである。
【課題を解決するための手段】
【００２０】
本発明の拡大内視鏡光学系の第１の構成は、一部のレンズ群が移動することによって、少なくとも通常観察状態（広角端）と近接拡大観察状態（望遠端）とをとり得る対物レンズで、下記条件（１）を満足することを特徴とする。
【００２１】
（１）    Ｆ（Ｗ）／Ｆ（Ｔ）＞０．９３
ただし、Ｆ（Ｗ）、Ｆ（Ｔ）は夫々通常観察状態（広角端）および近接拡大観察状態（望遠端）での光学系のＦナンバーである。
【００２２】
また、本発明の拡大内視鏡光学系の第２の構成は、物体側から順に、正の第１群と負の第２群と正の第３群とにて構成される対物レンズで、負の第２群が明るさ絞りと一体に光軸上を移動することによって合焦および変倍を行なうもので、下記条件（２）を満足することを特徴とする。
【００２３】
（２）    ０．４＜｜ｆ３／ｆ２｜＜１．３８
ただし、ｆ２、ｆ３は夫々第２群、第３群の焦点距離である。
【００２４】
また、本発明の拡大内視鏡光学系の第２の構成において、更に下記条件（３）を満足することが望ましい。
【００２５】
（３）    １．５＜｜ｆ２／ｆ１｜＜３．５
ただし、ｆ１、ｆ２は夫々第１群、第２群の焦点距離である。
【００２６】
更に、第２の構成の光学系において、下記条件（１）を満足すれば一層好ましい。
【００２７】
（１）    Ｆ（Ｗ）／Ｆ（Ｔ）＞０．９３
ただし、Ｆ（Ｗ）、Ｆ（Ｔ）は夫々通常観察状態（広角端）および近接拡大観察状態（望遠端）での光学系のＦナンバーである。
【００２８】
本発明の拡大内視鏡光学系は、前述のような構成（第１、第２の構成）を有することによって、高画素化された撮像素子と組み合わせた時に、光学系（対物レンズ）の各変倍状態において十分な観察深度を得ることが可能となり、画質の劣化の少ない画像での観察が可能になる。
【００２９】
即ち、条件（１）は、通常観察状態（広角端）から近接拡大観察状態（望遠端）までの各変倍状態において十分な観察深度を確保するための条件であって、特に通常観察状態（広角端）での観察深度を確保するための条件である。
【００３０】
ＣＣＤやＣＭＯＳセンサー等の撮像素子の高画素化にともない、より細かな生体等の観察が可能になる。しかし、比較的小さなＦナンバーにおいても回折現象による画質の劣化を招きやすい。特に、拡大内視鏡光学系（対物レンズ）は、拡大観察時のＦナンバーが通常観察時のＦナンバーよりも大であることが多い。そのために、近接拡大観察状態（望遠端）におけるＦナンバーを小さくしておくと、通常観察状態（広角端）にした時に必要以上にＦナンバーが小さくなり、観察深度を確保できなくなる。
【００３１】
光学系が、条件（１）の範囲内であれば、通常観察状態（広角端）のＦナンバーが近接拡大観察状態（望遠端）でのＦナンバーとほぼ同じになり、近接拡大観察状態（望遠端）において回折の影響を受けないようにＦナンバーを小さくしても、通常観察状態（広角端）におけるＦナンバーが必要以上に小さくなることがなくなる。このため、条件（１）を満足することにより、光学系を高画素化された撮像素子と組み合わせて使用しても、通常観察状態（広角端）から近接拡大観察状態（望遠端）までの各変倍状態において十分な観察深度を確保することができる。
【００３２】
逆に、Ｆ（Ｗ）／Ｆ（Ｔ）の値が０．９３よりも小になると、近接拡大観察状態（望遠端）において、回折限界までＦナンバーを小にした時、通常観察状態（広角端）におけるＦナンバーが必要以上に小になり好ましくない。
【００３３】
また、本発明の第１の構成の光学系において、近接拡大観察状態（望遠端）において、回折の影響を受けないようにするためには、更に下記条件（４）を満足するようにすることが望ましい。
【００３４】
（４）    Ｆ（Ｔ）＜９．５
ただし、Ｆ（Ｔ）は近接拡大観察状態（望遠端）での光学系のＦナンバーである。
【００３５】
高画素化が進み一層高画素のＣＣＤやＣＭＯＳを使用することを想定した場合、Ｆ（Ｔ）の値が条件（４）の範囲を超えて９．５より大になると、回折の影響を受け始めるため、拡大観察の際に、高画素のＣＣＤに見合う高精細な画像が得られなくなり好ましくない。
【００３６】
条件（１）、（４）を満足することによって、通常観察状態から近接拡大観察状態までのどの状態においても、回折限界までＦナンバーを大きくすること（明るさ絞りの開口を絞ること）が可能な光学系になし得る。これによって、通常観察状態（広角端）から近接拡大観察状態（望遠端）までのどの状態においても回折限界までＦナンバーを大きくでき（明るさ絞りの開口を絞ることができ）る光学系を実現できる。これにより、通常観察状態（広角端）から近接拡大観察状態（望遠端）までの各変倍状態において十分な観察深度を確保することができる。
【００３７】
ここで、高画素化された撮像素子について、次の条件（１１）のように定義する。
【００３８】
（１１）    ０．４＜ＩＨ／（ｐ×１０００）＜０．７
ただし、ＩＨは撮像素子の撮像面における最大像高（ｍｍ）、ｐは撮像素子の画素ピッチ（ｍｍ）である。
【００３９】
撮像素子が条件（１１）の下限を超えるとつまりＩＨ／（ｐ×１０００）が０．４以下になると画素ピッチが大になり、高画素化された撮像素子とはいえない。また条件（１１）の上限を超えるとつまりＩＨ／（ｐ×１０００）の値が０．７より大になると画素ピッチが小になってより高画素化されるが回折の影響を受けやすく、対物光学系の各変倍状態において十分な観察深度が得られない。
【００４０】
次に、本発明の拡大内視鏡光学系の第２の構成について説明する。
【００４１】
第２の構成の光学系は、正、負、正の三つのレンズ群にて構成され、負の第２群を光軸に沿って移動させて変倍と合焦を行なうものである。このように、可動群の第２群を負の屈折力を有するレンズ群とし、この第２群の近傍に明るさ絞りを配置することによって、可動レンズ群の外径を小にし得る。それにより、可動レンズ群を光軸方向に動かすための機構（例えば可動レンズ群を保持するレンズ枠に接続されていてこのレンズ枠に駆動力を与えるアクチュエータ等）を可動レンズ群の周囲に配置することが可能になる。また、可動レンズ群の重量を小さくできるため可動レンズ群を動かすための機構にかかる負荷を低減できる。
【００４２】
また、前記の負の屈折力を有するレンズ群前後に配置される明るさ絞りは、この負の屈折力を有するレンズ群と一体に移動させることが望ましい。この時、通常観察状態（広角端）から近接拡大観察状態（望遠端）へ状態を変化させて行くと、明るさ絞りは物体側から像側へ向かって移動する。
【００４３】
ここで、絞りが固定されている状態を想定すると、近接拡大観察状態（望遠端）において、負の屈折力の第２群が射出瞳位置から遠ざかるため、周辺光束の光線高が正の屈折力の第３群にて高くなり、この第３群のレンズ系が大になり好ましくない。
【００４４】
本発明の第２の構成のような正、負、正の三つのレンズ群よりなる光学系において、負の第２群と明るさ絞りとを一体に移動させるように構成すれば、正の第３群のレンズ外径を大にすることなく、コンパクトな拡大内視鏡光学系を実現し得る。
【００４５】
また、負の第２群と明るさ絞りをと一体に移動させるように構成することによって、通常観察状態（広角端）と近接拡大観察状態（望遠端）との間でＦナンバーが変動するのを抑えることができ、各観察状態で回折限界までＦナンバーを絞り込んで観察深度を確保することが容易になる。
【００４６】
また、前述のように本発明の第２の構成の光学系は、下記条件（２）を満足することを特徴とする。
【００４７】
（２）    ０．４＜｜ｆ３／ｆ２｜＜１．３８
ただし、ｆ２、ｆ３は夫々第２群、第３群の焦点距離である。
【００４８】
この条件（２）において｜ｆ３／ｆ２｜の値が下限値の０．４より小になると、第２群の焦点距離が大になり、通常観察状態（広角端）から近接拡大観察状態（望遠端）まで状態を変化させる時の第２群の移動量が大になる。第２群の移動量があまり大になると光学系の全長が長くなり大型化するので好ましくない。また、レンズ群の移動手段としてアクチュエータを使用する場合、レンズ群を駆動するストロークが長くなり、アクチュエータを含むレンズ駆動機構が大型になり好ましくない。
【００４９】
また条件（２）において｜ｆ３／ｆ２｜の値が上限値の１．３８より大になると第３群の焦点距離が大になり、光学系のバックフォーカスが長くなる。その結果、撮像素子を含めた撮像光学系の全長が長くなり、大型になるため好ましくない。また、内視鏡の場合、撮像光学系の全長が長くなることは内視鏡先端の硬性部（湾曲しない部分）の長さが長くなり、内視鏡を患者の体内に挿入する際の患者の負担が大きくなり好ましくない。
【００５０】
また、条件（２）の代わりに次の条件（２−１）を満足すれば一層好ましい。
【００５１】
（２−１）    ０．６＜｜ｆ３／ｆ２｜＜１．２
更に、本発明の第２の光学系において、下記条件（３）を満足すればより望ましい。
【００５２】
（３）    １．５＜｜ｆ２／ｆ１｜＜３．５
ただし、ｆ１、ｆ２は夫々第１群、第２群の焦点距離である。
【００５３】
この条件（３）において、｜ｆ２／ｆ１｜の値が下限値の１．５より小になると第１群の焦点距離に対し第２群の焦点距離が小になり、第２群の移動による色収差の変動が大になる。特に倍率の色収差の発生量が大になり、画像の色にじみの原因になり好ましくない。
【００５４】
また、条件（３）において、｜ｆ２／ｆ１｜の値が上限値の３．５より大になると第１群の焦点距離が小になり、球面収差の発生量が大になる。特に観察倍率が大になる近接拡大観察状態（望遠端）における収差の発生量が大になると、被写体を拡大して詳細に観察する際に、所望の解像力が得られないばかりか画像にコマフレアーのように画質を劣化させるノイズが発生する原因となり好ましくない。
【００５５】
また、第２の構成の光学系において、更に次の条件（７）を満足することが望ましい。
【００５６】
（７）    １．５＜ｆ３／ｆ１＜２．５
ただし、ｆ１、ｆ３は夫々第１群、第３群の焦点距離である。
【００５７】
条件（７）においてｆ３／ｆ１の値が下限値の１．５より小になると第１群の焦点距離が大になり、条件（３）の場合と同様に球面収差が補正不足になり、更にはコマ収差が補正できなくなり好ましくない。
【００５８】
第３群は、ペッツバール和の補正に寄与するが、条件（７）において、ｆ３／ｆ１の値が上限値の２．５より大になると第３群の焦点距離が小さくなりすぎてペッツバール和が大になるために像面が倒れ、この像面湾曲を補正することが困難になる。そのため画像の中心から周辺まで良好な解像力を確保することができなくなり好ましくない。
【００５９】
本発明の光学系（第１、第２の構成）において、最終レンズの像側の面（光学系の最も像側のレンズ面）における最大光線高が次の条件（８）を満足することが望ましい。
【００６０】
（８）    ０．５＜ｈＴ／ｈＷ＜１．２
ただし、ｈＴは近接拡大観察状態（望遠端）における光学系最終面における最大光線高、ｈＷは通常観察状態（広角端）における光学系最終面における最大光線高である。
【００６１】
ｈＴ／ｈＷの値が条件（８）の範囲を超えると撮像素子への入射角が所定の範囲内に入らず、画像周辺での光量の低下を招くことになる。特に、ｈＴ／ｈＷの値が下限値の０．５より小になると、近接拡大観察状態（望遠端）において取得される画像の周辺減光が著しく好ましくない。また、ｈＴ／ｈＷの値が条件（８）の上限値の１．２より大になると通常観察状態（広角端）において第３群での光線高が高くなり、レンズ外径が大になり好ましくない。また、レンズ外径を小さくするためには条件（８）の代わりに下記条件（８−１）のように上限値を定めることが好ましい。
【００６２】
（８−１）    ０．５＜ｈＴ／ｈＷ＜０．８５
また、本発明の光学系において、第１群のレンズ系が小さくなるようにするためには、下記条件（９）を満足することが望ましい。
【００６３】
（９）    ０．５＜Ｅｎｐ／ｆｌｗ＜１．５
ただし、Ｅｎｐは通常観察状態（広角端）における光学系の最も物体側の面から入射瞳までの距離（以下単に入射瞳位置と記す）ｆｌｗは通常観察状態（広角端）の光学系全系の焦点距離である。
【００６４】
条件（９）において、Ｅｎｐ／ｆｌｗの値が下限値の０．５より小になると入射瞳位置に対して全系の焦点距離が大になり、内視鏡の通常観察時において必要な画角（少なくとも１００°以上、好ましくは１２０°以上）を確保しようとすると過剰に大きなディストーションが発生する。その結果、画面中心と周辺の倍率の差が大きくなりすぎ好ましくない。また、Ｅｎｐ／ｆｌｗの値が条件（９）の上限値の１．５より大になると、第１群のレンズ外径が大になり撮像光学系が大型になる。
【００６５】
また、更なる撮像光学系の小型化のためには、条件（９）の上限値を１．０とし、下記条件（９−１）を満足することが好ましい。
【００６６】
（９−１）    ０．５＜Ｅｎｐ／ｆｌｗ＜１．０
また、本発明の拡大観察光学系において、近接拡大観察状態（望遠端）での観察倍率β（Ｔ）が下記条件（５）を満足することが好ましい。
【００６７】
（５）    β（Ｔ）＜−０．６
内視鏡観察下で生体内の病変部の精密診断を行なうためには、近接拡大観察状態（望遠端）時の観察倍率が条件（５）を満足することが望ましい。つまり条件（５）を満足する観察倍率を有する拡大内視鏡光学系を用いることにより、生体組織に発生した微小な病変を見落とすことなく発見でき、特に早期癌の発見等に有用である。
【００６８】
条件（５）において、β（Ｔ）の値が−０．６より大になると、より微小な病変の拡大しての観察が行ないにくく好ましくない。
【００６９】
また、一層微小な病変を精査して、例えば注目している生体組織が癌化する可能性の有無を診断する等に使用する光学系の場合、条件（５）の代わりに下記条件（５−１）を満足することが望ましい。
【００７０】
（５−１）    β（Ｔ）＜−１．５
高画素化された撮像素子と組み合わせる場合、条件（５−１）を満足する拡大内視鏡光学系は、数ミクロンから数十ミクロンの分解能が得られる。１４インチモニターに画像を表示して観察する場合を考えると、２００〜５００倍程度の倍率が得られ、細胞レベルでの観察が可能になる。それにより細胞配列の乱れや、細胞核の異常な肥厚、細胞核を取り巻く毛細血管の異常な増殖等の正常細胞が癌化するときに特異的に現れる現象を観察することが可能になる。
【００７１】
更に、このような拡大観察が可能な拡大内視鏡光学系において、通常観察時には広視野を確保し、病変部を発見するために生体内をスクリーニングしたり、病変部に処置を施す等の作業を有する必要がある。
【００７２】
そのためには、光学系が拡大観察時には高倍率を確保しつつ、通常観察時には下記の条件（６）を満足することが望ましい。
【００７３】
（６）    ω＞６０°
ただし、ωは通常観察状態（広角端）での光学系の半画角である。
【００７４】
条件（６）の範囲内であれば、通常観察状態（広角端）での診断が拡大機能のない内視鏡での診断と同程度の視野範囲を確保できるため、通常の診断を問題なく行ない得る。
【００７５】
また、本発明の拡大内視鏡光学系は、明るさ絞りが光軸上を移動する際に、絞り径が一定であることが望ましい。可変絞り機構を搭載すると、既にレンズ駆動のためのアクチュエータ等が配置されていることもあり、撮像光学系を収納する鏡枠の更なる太径化を招くことになり好ましくない。
【発明の効果】
【００７６】
本発明の拡大内視鏡光学系によれば、高画素の撮像素子を用い高精細な画像での拡大観察が可能になるという効果を有する。
【発明を実施するための最良の形態】
【００７７】
本発明の拡大内視鏡光学系の実施の形態を次に示す各実施例にもとづいて説明する。
【実施例１】
【００７８】
本発明の拡大内視鏡光学系の実施例１は、図１に示す通りの構成で、下記データを有する光学系である。
（物体面）              ｄ0 ＝Ｄ０
ｒ1 ＝∞                ｄ1 ＝0.36      ｎ1 ＝1.88300     ν1 ＝40.78 
ｒ2 ＝１.297            ｄ2 ＝0.73
ｒ3 ＝∞                ｄ3 ＝0.62      ｎ2 ＝1.51400     ν2 ＝75.00 
ｒ4 ＝∞                ｄ4 ＝1.13
ｒ5 ＝-8.3111           ｄ5 ＝0.88      ｎ3 ＝1.48749     ν3 ＝70.23 
ｒ6 ＝-1.980            ｄ6 ＝0.01
ｒ7 ＝3.240             ｄ7 ＝1.20      ｎ4 ＝1.51633     ν4 ＝64.14 
ｒ8 ＝-2.332            ｄ8 ＝0.24      ｎ5 ＝2.00330     ν5 ＝28.27 
ｒ9 ＝-4.319            ｄ9 ＝Ｄ１
ｒ10 ＝∞（絞り）       ｄ10 ＝0.02
ｒ11 ＝∞               ｄ11 ＝0.28     ｎ6 ＝1.48749     ν6 ＝70.23 
ｒ12＝1.257             ｄ12＝0.52      ｎ7 ＝1.59270     ν7 ＝35.31 
ｒ13＝1.927             ｄ13＝Ｄ２
ｒ14＝4.593             ｄ14＝1.08      ｎ8 ＝1.48749     ν8 ＝70.23 
ｒ15＝-5.372            ｄ15＝0.02
ｒ16＝3.767             ｄ16＝1.19      ｎ9 ＝1.51633     ν9 ＝64.14 
ｒ17＝-4.774            ｄ17＝0.42      ｎ10＝1.92286     ν10＝18.90 
ｒ18＝52.579            ｄ18＝0.29
ｒ19＝∞                ｄ19＝0.40      ｎ11＝1.52287     ν11＝59.89 
ｒ20＝∞                ｄ20＝0.56 
ｒ21＝∞                ｄ21＝2.75      ｎ12＝1.51633     ν12＝64.14 
ｒ22＝∞
通常観察状態          中間状態        近接拡大観察状態
（広角端）                            （望遠端）
Ｄ０          １６．００          ３．３８          ２．００
Ｄ１          ０．１６            １．０６          １．７２
Ｄ２          ２．５６            １．６６          １．００
ｆｌｗ        １．７５８          １．９５９        ２．０２４
Ｆｎｏ        ７．０              ７．２            ７．３
ｆＷ／ｆＴ＝０．９６
｜ｆ３／ｆ２｜＝０．８７
｜ｆ２／ｆ１｜＝２．１８
ｆＴ＝７．３
βＴ＝−０．７１
ω＝６６．５°
ｆ３／ｆ１＝１．９
ｈＴ／ｈＷ＝０．６６
Ｅｎｐ／ｆｌｗ＝０．７３
ＩＨ／（ｐ×１０００）＝０．６
ただし、ｒ1，  ・・・はレンズ各面の曲率半径、  ｄ1，・・・は各レンズの肉厚および面間隔、ｎ1 ，ｎ2,・・・は各レンズのｅ線に対する屈折率、ν1 ,ν2，・・・は各レンズのｄ線に対するアッベ数である。尚、ｄ0は物体面から光学系の第１面（ｒ1）までの距離である。又ｒ，ｄ等の長さの単位はｍｍである。
【００７９】
この実施例１の光学系は、図１および上記データに示すように、物体側より順に、正の屈折力の第１群Ｇ１（ｒ1〜ｒ9）と負の屈折力の第２群Ｇ２（ｒ11〜ｒ13）と正の屈折力の第３群Ｇ３（ｒ14〜ｒ18）とにて構成されている。又明るさ絞りＳ（ｒ10）は第２群Ｇ２の物体側に配置されている。
【００８０】
この実施例１は、第２群Ｇ２が明るさ絞りＳと一体に光軸上を像側に移動して通常観察状態（広角端）から近接拡大観察状態（望遠端）への変倍と合焦を行なう。
【００８１】
つまり、図１における上段（通常観察状態）、中段（中間状態）、下段（近接拡大観察状態）に記載するように第２群Ｇ２を光軸に沿って移動させて変倍と合焦を行なう。
【００８２】
この実施例１は、図示するように、第１群Ｇ１が平凹レンズ（ｒ1〜ｒ2）と  
平行平面板Ｆ１（ｒ3〜ｒ4）と像側に凸面を向けた正のメニスカスレンズ（ｒ5〜ｒ6）と両凸レンズ（ｒ7〜ｒ8）と負のメニスカスレンズ（ｒ8〜ｒ9）を接合した正の接合レンズ（ｒ7〜ｒ9）とよりなり、第２群Ｇ２が平凹レンズ（ｒ11〜ｒ12）と正のメニスカスレンズ（ｒ12〜ｒ13）を接合した接合レンズ（ｒ11〜ｒ13）よりなり、第３群が両凸レンズ（ｒ14〜ｒ15）と両凸レンズ（ｒ16〜ｒ17）と両凹レンズ（ｒ17〜ｒ18）を接合した接合レンズ（ｒ16〜ｒ18）とよりなる。又撮像素子の撮像面Ｉには撮像面を保護するためのカバーガラスＣ（ｒ21〜ｒ22）が貼り付けられている。又、第３群Ｇ３とカバーガラスＣとの間には、平行平面板Ｆ２（ｒ19〜ｒ20）が配置されている。
【００８３】
ここで、平行平面板Ｆ１、Ｆ２は夫々特定波長例えばＹＡＧレーザの１０６０ｎｍ、半導体レーザの８１０ｎｍあるいは近赤外領域の光をカットするためのフィルタである。
【００８４】
この実施例１は、データ中に示すように、条件（１）乃至条件（９）、条件（１１）のすべての条件を満足する。また、条件（２−１）、（８−１）、（９−１）も満足する。これによって、光学系を通常観察状態（広角端）から近接拡大観察状態（望遠端）まで倍率を変化させても、Ｆナンバーの変動が少なく、各倍率の状態にて十分な観察深度が確保されている。
【００８５】
又、条件（２）、（３）、（７）を満足するように各群の焦点距離を適切な値にしたことによって、画像劣化が少なくコンパクトな光学系になっている。
【００８６】
図５、図６、図７は、夫々実施例１の光学系の通常観察状態（広角端）、中間の状態、近接拡大観察状態（望遠端）における収差状況を示す。これら図より明らかなように、実施例１の光学系はＦナンバーの変化が少なく、又いずれの状態にても収差が良好に補正されている。
【００８７】
又、実施例１は、条件（１１）を満足する高画素化された撮像素子を用いており、それにより高精細な画像が得られる。
【実施例２】
【００８８】
本発明の拡大内視鏡光学系の実施例２は、図２に示す通りの構成で、下記データを有する光学系である。
（物体面）              ｄ0 ＝Ｄ０
ｒ1 ＝∞                ｄ1 ＝0.36      ｎ1 ＝1.88300     ν1 ＝40.78 
ｒ2 ＝１.246            ｄ2 ＝0.73
ｒ3 ＝∞                ｄ3 ＝0.62      ｎ2 ＝1.51400     ν2 ＝75.00 
ｒ4 ＝∞                ｄ4 ＝0.50      ｎ3 ＝1.52287     ν3 ＝59.89 
ｒ5 ＝∞                ｄ5 ＝0.57
ｒ6 ＝31.448            ｄ6 ＝0.88      ｎ4 ＝1.48749     ν4 ＝70.23 
ｒ7 ＝-2.017            ｄ7 ＝0.05
ｒ8 ＝3.576             ｄ8 ＝1.20      ｎ5 ＝1.48749     ν5 ＝70.23 
ｒ9 ＝-1.879            ｄ9 ＝0.24      ｎ6 ＝1.84666     ν6 ＝23.78 
ｒ10＝-3.339            ｄ10＝Ｄ１
ｒ11＝∞（絞り）        ｄ11＝0.02
ｒ12＝∞                ｄ12＝0.28      ｎ7 ＝1.48749     ν7 ＝70.23 
ｒ13＝1.678             ｄ13＝0.52      ｎ8 ＝1.84666     ν8 ＝23.78 
ｒ14＝1.703             ｄ14＝Ｄ２
ｒ15＝19.018            ｄ15＝1.29      ｎ9 ＝1.48749     ν9 ＝70.23 
ｒ16＝-2.749            ｄ16＝0.02
ｒ17＝2.793             ｄ17＝1.22      ｎ10＝1.60311     ν10＝60.64 
ｒ18＝-9.649            ｄ18＝0.42      ｎ11＝1.92286     ν11＝18.90 
ｒ19＝4.696             ｄ19＝0.87 
ｒ20＝∞                ｄ20＝1.60      ｎ12＝1.51633     ν12＝64.14 
ｒ21＝∞
通常観察状態          中間状態        近接拡大観察状態
（広角端）                            （望遠端）
Ｄ０          １８．００          ３．３８          １．８０
Ｄ１          ０．１６            ０．７９          １．３４
Ｄ２          ２．２５            １．６１          １．０７
ｆｌｗ        １．７３３          １．８３４        １．８４２
Ｆｎｏ        ７．１６            ７．１０          ７．０４
ｆＷ／ｆＴ＝１．０２
｜ｆ３／ｆ２｜＝０．９２
｜ｆ２／ｆ１｜＝２．２２
ｆＴ＝７
βＴ＝−０．７１
ω＝６５．５°
ｆ３／ｆ１＝２．０５
ｈＴ／ｈＷ＝０．７９
Ｅｎｐ／ｆｌｗ＝０．７３
ＩＨ／（ｐ×１０００）＝０．５６
この実施例２の光学系は、図２および上記データに示すように、物体側より順に、正の屈折力の第１群Ｇ１（ｒ1〜ｒ10）と負の屈折力の第２群Ｇ２（ｒ12〜ｒ14）と正の屈折力の第３群Ｇ３（ｒ15〜ｒ19）とにて構成されている。又明るさ絞りＳ（ｒ11）は第２群Ｇ２の物体側に配置されている。
【００８９】
この実施例２は、第２群Ｇ２が明るさ絞りＳと一体に光軸に沿って像側に移動して、通常観察状態（広角端）から近接拡大観察状態（望遠端）にわたっての変倍と合焦を行なう。
【００９０】
つまり、図２における上段の通常観察状態（広角端）、中段の中間状態、下段の近接拡大観察状態（望遠端）に示すように明るさ絞りＳと第２群Ｇ２を移動させて変倍と合焦を行なう。
【００９１】
この実施例２は、図２に示すように、第１群Ｇ１が平凹レンズ（ｒ1〜ｒ2）と平行平面板Ｆ１、Ｆ２（ｒ3〜ｒ5）と両凸レンズ（ｒ6〜ｒ7）と両凸レンズ（ｒ8〜ｒ9）と負のメニスカスレンズ（ｒ9〜ｒ10）とを接合した接合レンズ（ｒ8〜ｒ10）とよりなり、第２群Ｇ２が平凹レンズ（ｒ12〜ｒ13）と正のメニスカスレンズ（ｒ13〜ｒ14）を接合した接合レンズ（ｒ12〜ｒ14）よりなり、第３群が両凸レンズ（ｒ15〜ｒ16）と両凸レンズ（ｒ17〜ｒ18）と両凹レンズ（ｒ18〜ｒ19）を接合した接合レンズ（ｒ17〜ｒ19）とよりなる。又、撮像素子の撮像面にはカバーガラス（ｒ20〜ｒ21）が貼り付けられている。
【００９２】
尚  、平行平面板Ｆ１、Ｆ２は夫々特定波長例えばＹＡＧレーザの１０６０ｎｍ、半導体レーザの８１０ｎｍあるいは近赤外領域の光をカットするためのフィルタである。
【００９３】
この実施例２も、データに示すように条件（１）乃至条件（９）、条件（１１）のすべての条件を満足する光学系であり、それにより、通常観察状態（広角端）から近接拡大観察状態（望遠端）までのすべての変倍状態において、Ｆナンバーの変動が少なく、各倍率の状態にて十分な観察深度が得られる。また、条件（２−１）、（８−１）、（９−１）も満足する。
【００９４】
又、この実施例２も、第１群、第２群、第３群の夫々の焦点距離が条件（２）、（３）、（７）を満足するように適切な値に設定してあり、それにより各状態において画質の劣化がなく、コンパクトな撮像光学系になっている。
【００９５】
図８、図９、図１０の収差図に示すように、実施例２の通常観察状態（広角端）、中間状態、近接拡大観察状態（望遠端）における諸収差はいずれも良好に補正されている。
【００９６】
又、この実施例２も、条件（１１）を満足する高画素化された撮像素子を用いることにより高精細な画像を得ることができる。
【実施例３】
【００９７】
本発明の光学系の実施例３は、図３に示す通りの構成で、下記データを有する。
（物体面）              ｄ0 ＝Ｄ０
ｒ1 ＝∞                ｄ1 ＝0.45      ｎ1 ＝1.88300     ν1 ＝40.78 
ｒ2 ＝１.886            ｄ2 ＝1.00
ｒ3 ＝∞                ｄ3 ＝0.57      ｎ2 ＝1.52287     ν2 ＝59.89 
ｒ4 ＝∞                ｄ4 ＝0.47
ｒ5 ＝-6.999            ｄ5 ＝2.75      ｎ3 ＝1.69895     ν3 ＝30.13 
ｒ6 ＝-3.383            ｄ6 ＝Ｄ１
ｒ7 ＝3.920             ｄ7 ＝0.61      ｎ4 ＝1.88300     ν4 ＝40.76 
ｒ8 ＝9.496             ｄ8 ＝Ｄ２
ｒ9 ＝∞（絞り）        ｄ9 ＝0.09
ｒ10＝33.957            ｄ10＝0.27      ｎ5 ＝1.84666     ν5 ＝23.78 
ｒ11＝1.805             ｄ11＝2.03      ｎ6 ＝1.51633     ν6 ＝64.14 
ｒ12＝-6.057            ｄ12＝0.08
ｒ13＝5.501             ｄ13＝1.09      ｎ7 ＝1.88300     ν7 ＝40.76 
ｒ14＝3.662             ｄ14＝0.77      ｎ8 ＝1.80100     ν8 ＝34.97 
ｒ15＝-15.338           ｄ15＝1.82
ｒ16＝∞                ｄ16＝2.00      ｎ9 ＝1.51400     ν9 ＝75.00 
ｒ17＝∞
通常観察状態          中間状態        近接拡大観察状態
（広角端）                            （望遠端）
Ｄ０          ２３．５０        １０．５０          ３．００
Ｄ１          ３．２６            ２．９２          １．５３
Ｄ２          ０．３９            ０．７２          ２．１２
ｆｌｗ        １．４８０          １．５３７        １．８２５
Ｆｎｏ        ９．１０            ９．１０          ９．１０
ｆＷ／ｆＴ＝１
｜ｆ３／ｆ２｜＝０．８１
｜ｆ２／ｆ１｜＝０．３６
ｆＴ＝９．１
βＴ＝−０．４
ω＝６０．７°
ｆ３／ｆ１＝−０．２９
ｈＴ／ｈＷ＝１．００
Ｅｎｐ／ｆｌｗ＝１．３３
ＩＨ／（ｐ×１０００）＝０．４３
この実施例３は、図３に示すように、物体側より順に、負の屈折力の第１群Ｇ１（ｒ1〜ｒ6）と正の屈折力の第２群Ｇ２（ｒ7〜ｒ8）と正の屈折力の第３群Ｇ３（ｒ10〜ｒ15）とよりなる。
【００９８】
この実施例３は、正の屈折力の第２群Ｇ２を光軸に沿って像側から物体側へ移動させることにより、通常観察状態（広角端）から近接拡大観察状態（望遠端）までの変倍と合焦を行なうもので、明るさ絞りＳは第３群Ｇ３の物体側に配置されており、変倍中移動せずに固定されている。
【００９９】
つまり、この実施例３は、負、正、正の三つのレンズ群よりなり正の第２群Ｇ２を移動させて変倍を行なうことと、明るさ絞りが第３群の物体側に変倍中移動せずに固定配置されている点で、実施例１、２と異なる構成である。
【０１００】
実施例３は、負の第１群Ｇ１が、平凹レンズ（ｒ1〜ｒ2）と平行平面板Ｆ１（ｒ3〜ｒ4）と正のメニスカスレンズ（ｒ5〜ｒ6）とよりなり、第２群Ｇ２が正のメニスカスレンズ（ｒ7〜ｒ8）１枚よりなり、第３群Ｇ３が負のメニスカスレンズ（ｒ10〜ｒ11）と両凸レンズ（ｒ11〜ｒ12）を接合した接合レンズ（ｒ10〜ｒ12）と負のメニスカスレンズ（ｒ13〜ｒ14）と両凸レンズ（ｒ14〜ｒ15）を接合した接合レンズ（ｒ13〜ｒ15）とよりなり、撮像素子の撮像面ＩにはカバーガラスＣが貼り付けられている。
【０１０１】
明るさ絞りＳ（ｒ9）は第３群Ｇ３の物体側に固定配置されている。又平行平面板Ｆ１は特定波長例えばＹＡＧレーザの１０６０ｎｍ、半導体レーザの８１０ｎｍあるいは近赤外領域の光をカットするためのフィルタである。
【０１０２】
この実施例３は、条件（１）、（２）、（４）、（６）、（８）、（９）、（１１）、（２−１）を満足する。
【０１０３】
この実施例３は、前述のように負、正、正の構成で、明るさ絞りＳを第２群Ｇ２と第３群Ｇ３の間でその像面側に近づけて固定配置したことによって、明るさ絞りＳを変倍時固定配置したままでもＦナンバーの変動がなく、通常観察状態（広角端）から近接拡大観察状態（望遠端）までの各状態で十分な観察深度が得られる。
【０１０４】
この実施例３の収差状況は、図１１、１２、１３に示す通りである。これら図のうち図１１は通常観察状態（広角端）、図１２は中間状態、図１３は近接拡大観察状態（望遠端）の収差図で、Ｆナンバーの変化は少なく、いずれの状態も諸収差が良好に補正されており、収差の変動も少ない。
【０１０５】
この実施例３も、条件（１１）を満足する高画素化された撮像素子を用いることにより、各状態において高精細な画像を得ることができる。
【実施例４】
【０１０６】
本発明の光学系の実施例４は、図４に示す通りの構成で、下記データを有する。
（物体面）              ｄ0 ＝Ｄ０
ｒ1 ＝∞                ｄ1 ＝0.36      ｎ1 ＝1.88300     ν1 ＝40.78 
ｒ2 ＝１.318            ｄ2 ＝0.73
ｒ3 ＝∞                ｄ3 ＝0.62      ｎ2 ＝1.51400     ν2 ＝75.00 
ｒ4 ＝∞                ｄ4 ＝0.47
ｒ5 ＝7.097             ｄ5 ＝1.69      ｎ3 ＝1.48749     ν3 ＝70.23 
ｒ6 ＝-1.911            ｄ6 ＝0.24      ｎ4 ＝1.84666     ν4 ＝23.78 
ｒ7 ＝-2.140            ｄ7 ＝0.02
ｒ8 ＝4.116             ｄ8 ＝0.82      ｎ5 ＝1.64000     ν5 ＝60.08 
ｒ9 ＝-2.181            ｄ9 ＝0.12      ｎ6 ＝2.00330     ν6 ＝28.27 
ｒ10＝-5.343            ｄ10＝Ｄ１
ｒ11＝∞（絞り）        ｄ11＝0.02
ｒ12＝-5.181            ｄ12＝0.19      ｎ7 ＝1.60300     ν7 ＝65.44 
ｒ13＝1.143             ｄ13＝0.24      ｎ8 ＝1.68893     ν8 ＝31.07 
ｒ14＝2.182             ｄ14＝Ｄ２
ｒ15＝6.990             ｄ15＝1.00      ｎ9 ＝1.48749     ν9 ＝70.23 
ｒ16＝-3.748            ｄ16＝0.12
ｒ17＝3.540             ｄ17＝1.16      ｎ10＝1.49700     ν10＝81.54 
ｒ18＝-5.952            ｄ18＝0.22
ｒ19＝-4.732            ｄ19＝0.42      ｎ11＝1.92286     ν11＝18.90 
ｒ20＝-90.467           ｄ20＝1.55 
ｒ21＝∞                ｄ21＝0.40      ｎ12＝1.52287     ν12＝59.89 
ｒ22＝∞                ｄ22＝1.35
ｒ23＝∞                ｄ23＝1.20      ｎ13＝1.51633     ν13＝64.14 
ｒ24＝∞
通常観察状態          中間状態        近接拡大観察状態
（広角端）                            （望遠端）
Ｄ０          ２０．００          ２．００          ０．８８
Ｄ１          ０．１５            １．４７          ２．５３
Ｄ２          ２．５７            １．２６          ０．２０
ｆｌｗ        １．７８７          ２．３３６        ２．１５７
Ｆｎｏ        ５．８７            ６．８７          ７．６６
ｆＷ／ｆＴ＝０．７７
｜ｆ３／ｆ２｜＝１．３４
｜ｆ２／ｆ１｜＝１．５９
ｆＴ＝７．７
βＴ＝−１．７３
ω＝６６．５°
ｆ３／ｆ１＝２．１３
ｈＴ／ｈＷ＝０．４８
Ｅｎｐ／ｆｌｗ＝０．７２
ＩＨ／（ｐ×１０００）＝０．４９
この実施例４は、図４に示すように物体側より順に、正の屈折力の第１群Ｇ１と、負の屈折力の第２群Ｇ２と、正の屈折力の第３群Ｇ３とよりなる。そして、第２群Ｇ２を光軸に沿って物体側より像側へ移動させることにより、通常観察状態（広角端）から近接拡大観察状態（望遠端）への変倍と合焦とを行なっている。又、明るさ絞りＳは第２群Ｇ２の物体側に配置され、変倍時第２群Ｇ２と一体に移動する。
【０１０７】
つまり、図４における上段（通常観察状態）、中段（中間状態）、下段（近接拡大観察状態）に示すように第２群Ｇ２が明るさ絞りＳと一体に移動する。
【０１０８】
この実施例４は、図４に示すように、第１群Ｇ１が平凹レンズ（ｒ1〜ｒ2）と平行平面板Ｆ１（ｒ3〜ｒ4）と両凸レンズ（ｒ5〜ｒ6）とメニスカスレンズ（ｒ6〜ｒ7）を接合した接合レンズ（ｒ5〜ｒ7）と両凸レンズ（ｒ8〜ｒ9）と負のメニスカスレンズ（ｒ9〜ｒ10）を接合した接合レンズ（ｒ8〜ｒ10）とよりなり、第２群Ｇ２は両凹レンズ（ｒ12〜ｒ13）と正のメニスカスレンズ（ｒ13〜ｒ14）を接合した接合レンズ（ｒ12〜ｒ14）よりなり、第３群Ｇ３は両凸レンズ２枚（ｒ15〜ｒ16）および（ｒ17〜ｒ18）と負のメニスカスレンズ（ｒ19〜ｒ20）よりなる。
【０１０９】
又、撮像素子の撮像面ＩにはカバーガラスＣ（ｒ23〜ｒ24）が貼り付けられている。第３群Ｇ３とカバーガラスＣとの間には平行平面板Ｆ２（ｒ21〜ｒ22）が配置されている。
【０１１０】
ここで、平行平面板Ｆ１、Ｆ２は夫々特定波長例えばＹＡＧレーザの１０６０ｎｍ、半導体レーザの８１０ｎｍあるいは近赤外領域の光をカットするためのフィルタである。
【０１１１】
明るさ絞りＳ（ｒ11）は第２群Ｇ２の物体側に配置され、変倍の際に第２群Ｇ２と一体に光軸上を移動するように構成されている。
【０１１２】
この実施例４の光学系は、条件（２）乃至条件（７）、条件（９）、条件（１１）を満足する。
【０１１３】
この実施例４は条件（５−１）を満足するように構成されている。そのために、この実施例は、近接拡大観察状態（望遠端）において生体組織を細胞レベルで観察することが可能であり、又通常観察状態（広角端）では、高視野が確保され、病変部を発見するために生体内をスクリーニングしたり、病変部に処置を施す等の作業を行なうことができる。
【０１１４】
この実施例４のように、近接拡大観察状態（望遠端）での観察倍率が条件（５−１）を満足するようにした場合、条件（１）を満足するように構成することが困難になる。そのため、実施例４は条件（１）を満足しない。
【０１１５】
しかし、物体側から順に、正、負、正のレンズ群にて構成し、通常観察状態（広角端）から近接拡大観察状態（望遠端）まで変倍状態を変化させる時に第２群Ｇ２と共に明るさ絞りＳを一体に移動させるようにし、各群のパワー配分を適切なものとすることにより、高画素化された撮像素子と組み合わせた場合でも、Ｆナンバーがさほど大きく変動しないため、各変倍状態において支障のない観察深度を確保することができる。
【０１１６】
具体的には、近接拡大観察状態（望遠端）でのＦナンバーを回折限界近傍まで大にし、観察深度の極近点側で所望の解像力を確保すると共に、通常観察状態（広角端）ではＦナンバーがより小さくなってしまうにもかかわらず、観察深度の遠点側で所望の解像力が得られる程度に明るさ絞りの開口径を設定してある。    又、この実施例４は、Ｆナンバーが小さいために明るい光学系を実現し得るという大きなメリットを有する。
【０１１７】
この実施例４の光学系も、第１群Ｇ１、第２群Ｇ２、第３群Ｇ３の各レンズ群の焦点距離が条件（２）、（３）、（７）を満足し、適切な値に設定してあるため、画像の劣化がなく、しかもコンパクトな構成の光学系である。
【０１１８】
図１４、図１５、図１６は、夫々この実施例４の通常観察状態（広角端）、中間状態、近接拡大観察状態（望遠端）における収差図である。
【０１１９】
これら図から明らかなように、実施例４の光学系は、通常観察状態（広角端）から近接拡大観察状態（望遠端）までの各状態においてＦナンバーの変化が少なく、又諸収差が良好に補正され収差の変動の少ない光学系である。
【０１２０】
又、この実施例４の光学系も、条件（１１）を満足する高画素化された撮像素子と組み合わせて使用することにより、各変倍状態おいて高精細な画像を得ることが可能である。
【０１２１】
特許請求の範囲に記載する光学系のほか次の各項に記載する光学系も、本発明の目的を達成し得る。
【０１２２】
（１）  請求項１に記載された光学系で、前記対物レンズが、物体側から順に、正の第１群と負の第２群と正の第３群とにて構成され、負の第２群と明るさ絞りが一体に光軸上を移動することによって合焦と変倍とを行なうことを特徴とする拡大内視鏡光学系。
【０１２３】
（２）  特許請求の範囲の請求項１又は４あるいは前記の（１）に記載された光学系で、下記条件（４）を満足することを特徴とする拡大内視鏡光学系。
【０１２４】
（４）    Ｆ（Ｔ）＜９．５
（３）  特許請求の範囲の請求項２又は３に記載された光学系で、下記条件（５−１）を満足することを特徴とする拡大内視鏡光学系。
【０１２５】
（５−１）    β（Ｔ）＜−１．５
（４）  前記（３）の項に記載された光学系で、下記条件（６）を満足することを特徴とする拡大内視鏡光学系。
【０１２６】
（６）    ω＞６０°
（５）  複数のレンズ群より構成され、一つのレンズ群のみが光軸上を移動することにより合焦と変倍を行なう光学系で、下記条件（５−１）、（６）を満足することを特徴とする拡大内視鏡光学系。
【０１２７】
（５−１）    β（Ｔ）＜−１．５
（６）    ω＞６０°
（６）  前記の（５）の項に記載された光学系で、物体側から順に、正の第１群と負の第２群と正の第３群とにて構成され、負の第２群が光軸上を移動することにより合焦と変倍とを行なうことを特徴とする拡大内視鏡光学系。
【０１２８】
（７）  特許請求の範囲の請求項１、２、３又は４あるいは前記の（１）、（２）、（３）、（４）、（５）又は（６）に記載された光学系で、合焦および変倍中、光学系中に設けられた明るさ絞りの径が変化しないことを特徴とする拡大内視鏡光学系。
【０１２９】
（８）  レンズ系を構成するレンズ群中の一部のレンズ群が光軸上を移動することによって、少なくとも通常観察状態（広角端）と近接拡大観察状態（望遠端）とを取り得る対物レンズと、対物レンズの結像面近傍に撮像面が位置するように撮像素子を配置した光学系で、下記条件（１）、（１１）を満足することを特徴とする拡大内視鏡光学系。
【０１３０】
（１）    Ｆ（Ｗ）／Ｆ（Ｔ）＞０．９３
（１１）    ０．４＜ＩＨ／（ｐ×１０００）＜０．７
（９）  物体側から順に、正の第１群と負の第２群と正の第３群とより構成される対物レンズと、前記対物レンズの結像面近傍に撮像面が位置するように配置された撮像素子とよりなる光学系で、前記明るさ絞りと一体に負の第２群が光軸上を移動して合焦と変倍を行なう光学系で、下記条件（２）、（１１）を満足することを特徴とする拡大内視鏡光学系。
【０１３１】
（２）    ０．４＜｜ｆ３／ｆ２｜＜１．３８
（１１）    ０．４＜ＩＨ／（ｐ×１０００）＜０．７
（１０）  前記（９）の項に記載された光学系で、下記条件（３）を満足することを特徴とする拡大内視鏡光学系。
【０１３２】
（３）    １．５＜｜ｆ２／ｆ１｜＜３．５
（１１）  前記（９）又は（１０）の項に記載された光学系で、下記条件（１）を満足することを特徴とする拡大内視鏡光学系。
【０１３３】
（１）    Ｆ（Ｗ）／Ｆ（Ｔ）＞０．９３
（１２）  前記（８）の項に記載された光学系で、前記対物レンズが、物体側から順に、正の第１群と負の第２群と正の第３群とより構成され、負の第２群と前記明るさ絞りとが一体に光軸上を移動することによって合焦と変倍を行なうことを特徴とする拡大内視鏡光学系。
【０１３４】
（１３）  前記（８）、（１１）又は（１２）の項に記載された光学系で、下記条件（４）を満足することを特徴とする拡大内視鏡光学系。
【０１３５】
（４）    Ｆ（Ｔ）＜９．５
（１４）  前記（９）又は（１０）の項に記載された光学系で、下記条件（５−１）を満足することを特徴とする拡大内視鏡光学系。
【０１３６】
（５−１）    β（Ｔ）＜−１．５
（１５）  前記（１４）の項に記載された光学系で、下記条件（６）を満足することを特徴とする拡大内視鏡光学系。
【０１３７】
（６）    ω＞６０°
（１６）  複数のレンズ群よりなり、レンズ群中の一つのレンズ群のみを移動させることにより合焦および変倍を行なう対物レンズと、対物レンズの結像面近傍に撮像面が位置する撮像素子とを備えた光学系で、下記条件（５−１）、（６）、（１１）を満足することを特徴とする拡大内視鏡光学系。
【０１３８】
（５−１）    β（Ｔ）＜−１．５
（６）    ω＞６０°
（１１）    ０．４＜ＩＨ／（ｐ×１０００）＜０．７
（１７）  前記（１６）の項に記載された光学系で、前記対物レンズが、物体側から順に、正の第１群と負の第２群と正の第３群とより構成され、負の第２群が光軸上を移動して合焦と変倍を行なうことを特徴とする拡大内視鏡光学系。
【図面の簡単な説明】
【０１３９】
【図１】本発明の実施例１の断面図
【図２】本発明の実施例２の断面図
【図３】本発明の実施例３の断面図
【図４】本発明の実施例４の断面図
【図５】本発明の実施例１の通常観察状態における収差図
【図６】本発明の実施例１の中間状態における収差図
【図７】本発明の実施例１の近接拡大観察状態における収差図
【図８】本発明の実施例２の通常観察状態における収差図
【図９】本発明の実施例２の中間状態における収差図
【図１０】本発明の実施例２の近接拡大観察状態における収差図
【図１１】本発明の実施例３の通常観察状態における収差図
【図１２】本発明の実施例３の中間状態における収差図
【図１３】本発明の実施例３の近接拡大観察状態における収差図
【図１４】本発明の実施例４の通常観察状態における収差図
【図１５】本発明の実施例４の中間状態における収差図
【図１６】本発明の実施例４の近接拡大観察状態における収差図
【図１】
0004659645.tif 000002
【図２】
0004659645.tif 000003
【図３】
0004659645.tif 000004
【図４】
0004659645.tif 000005
【図５】
0004659645.tif 000006
【図６】
0004659645.tif 000007
【図７】
0004659645.tif 000008
【図８】
0004659645.tif 000009
【図９】
0004659645.tif 000010
【図１０】
0004659645.tif 000011
【図１１】
0004659645.tif 000012
【図１２】
0004659645.tif 000013
【図１３】
0004659645.tif 000014
【図１４】
0004659645.tif 000015
【図１５】
0004659645.tif 000016
【図１６】
0004659645.tif 000017